(57)【特許請求の範囲】
【請求項１】
支持基板上に配置され、赤外線を吸収する第１の吸収部と、
前記第１の吸収部と接続され温度変化を検出する検出部と、
前記支持基板を支持する支持脚と、
前記第１の吸収部とは独立して前記支持脚上に少なくても一部が配置され、赤外線を吸収する第２の吸収部と、
を備えることを特徴とする赤外線検出素子。
【請求項２】
請求項１に記載の赤外線検出素子において、
前記第２の吸収部の面積は前記第１の吸収部の面積より小さいことを特徴とする赤外線検出素子。
【請求項３】
請求項２に記載の赤外線検出素子において、
前記第２の吸収部と前記支持脚との熱容量の和が、前記支持基板と前記第１の吸収部と前記検出部との熱容量の和より小さいことを特徴とする赤外線検出素子。
【請求項４】
請求項１〜３のいずれか一項に記載の赤外線検出素子において、
前記第２の吸収部の赤外線吸収スペクトルにおける吸収波長帯の幅が、
前記第１の吸収部の赤外線吸収スペクトルにおける吸収波長帯の幅より狭いことを特徴とする赤外線検出素子。
【発明の詳細な説明】
【技術分野】
【０００１】
本発明は、赤外線検出素子に関する。
【背景技術】
【０００２】
従来、例えば、特許文献１に記載されているように、検出部を支持基板上に作成し、支持基板を中空構造とするボロメーター型赤外線検出素子が知られていた。この例では、検出部に当たるボロメーターの上に吸収部を設けている。吸収部で赤外線を熱に変換し、この熱によって検出部を暖める。そして、検出部の抵抗温度変化を読み出すことで、赤外線検出素子として機能している。
【０００３】
赤外線検出素子の信号感度を上げるためには、検出部の温度変化が大きくなることが求められる。このため、検出部が暖まりやすいように、素子の下に熱分離用の空洞を形成し、電気配線を含む支持脚で支えることで、熱的な分離性を上げるような工夫がされている。
【０００４】
検出素子をさらにパッケージ内に真空封止することで、検出素子内の熱の出入りは支持脚によるものが支配的となる。このため支持脚の熱コンダクタンスを下げるために、支持脚は、支持基板を支える強度を維持しながらも、出来るだけ細長くすることが求められる。従来例では、この支持脚を折り曲げることで、素子サイズをコンパクトに保ちながら支持脚を長くすることが行われてきた。
【０００５】
検出部上の吸収部については、赤外線吸収量を増やすために、赤外線吸収特性のよい材料と構造を用いる必要がある。例えば、特許文献１では、異なる吸収特性を持つ吸収膜を積層させることで、広い赤外線波長帯域を吸収できるように改良したものである。さらに、吸収膜の下方に反射膜を置き、吸収膜と反射膜間の間隔を、感度を高めたい赤外線波長の１／４倍とすることで、光学的に干渉を起こし、赤外線の吸収率をいっそう高めることが、行われている。これにより、狙った波長帯を中心に、フィルター透過波長帯域に渡って、広範囲に感度を持つことが可能となる。
【先行技術文献】
【特許文献】
【０００６】
【特許文献１】特開２００６−２２６８９０号公報
【発明の概要】
【発明が解決しようとする課題】
【０００７】
しかしながら、特許文献１に記載の赤外線検出素子では、支持脚の熱コンダクタンスを下げるために、支持脚を細長くして折り曲げる回数を多くしてある。このため、支持脚が容易にたわみやすくなっている。そして、積層膜内の内部応力やプロセス中の付加応力、検出素子自体の自重により、吸収膜と反射膜間の光学的な距離を制御することが難しくなっている。これにより、狙った波長の赤外線に対する吸収率が低下し、さらに吸収した熱は、支持脚から、逃げていくため、検出部の温度上昇が小さくなり、設計した吸収波長に対する感度が低下してしまう課題があった。そこで、支持脚から熱が逃げることによる赤外線感度の低下を防止できる赤外線検出素子が望まれていた。
【課題を解決するための手段】
【０００８】
本発明は、支持脚から熱が逃げることによる赤外線感度の低下を改善することを目的としたものである。
【０００９】
［適用例１］本適用例にかかる赤外線検出素子は、支持基板上に配置され、赤外線を吸収する第１の吸収部と、前記第１の吸収部と接続され温度変化を検出する検出部と、前記支持基板を支持する支持脚と、前記支持脚上に少なくても一部が配置され、赤外線を吸収する第２の吸収部と、を備えることを特徴とする。
【００１０】
本適用例によれば、赤外線検出素子は支持基板を備え、支持基板上には赤外線を吸収する第１の吸収部が配置されている。そして、第１の吸収部は赤外線を吸収することにより熱に変換する。そして、赤外線検出素子は検出部を備え、検出部は第１の吸収部から伝わる熱による検出部自体の温度変化を検出する。赤外線の照射量と検出部の温度変化とは相関がある。従って、赤外線検出素子は第１の吸収部から伝わる熱による検出部の温度変化を検出することにより、赤外線の照射量を推定することが可能になっている。
【００１１】
赤外線検出素子に照射された赤外線は、第１の吸収部と第２の吸収部によって熱に変換される。このうち、第１の吸収部で発生した熱は、第１の吸収部に接続してある検出部と支持基板とに伝導される。そして、それぞれの場所において温度上昇が起こる。並行して第２の吸収部で発生した熱は、支持脚の温度を上昇させる。支持基板に伝わった熱は、支持脚を通して素子の外に逃げようとする。しかし、支持脚では温度上昇が起こっているため、フーリエの法則により熱が逃げる速度が遅くなり、検出部においては、赤外線の照射量に対して温度上昇の幅が大きくなり、検出感度が高くなる。その結果、支持脚から熱が逃げることによる赤外線感度の低下を改善することができる。
【００１２】
［適用例２］上記適用例に記載の赤外線検出素子において、前記第２の吸収部の面積は前記第１の吸収部の面積より小さいことが好ましい。
【００１３】
本適用例によれば、第２の吸収部が吸収する熱量は第１の吸収部が吸収する熱量に比べて小さくなる。このため、第２の吸収部に発生する熱が、支持脚と支持基板とを通って検出部を暖めることにより検出部の温度が上昇する量は小さくなる。従って、第２の吸収部により吸収された熱自体が検出部の温度上昇へ影響することを防ぐことができる。
【００１４】
［適用例３］上記適用例に記載の赤外線検出素子において、前記第２の吸収部と前記支持脚との熱容量の和が、前記支持基板と前記第１の吸収部と前記検出部との熱容量の和より小さいことが好ましい。
【００１５】
本適用例によれば、第２の吸収部と支持脚の熱容量の和を小さくすることで、第２の吸収部が吸収する少ない熱量でも、第２の吸収部と支持脚との温度上昇の幅を大きくすることができる。これにより、第１の吸収部と検出部とから伝導する熱が支持脚を通って外部へ逃げる速度を遅くすることができる。これにより、検出部の温度上昇が起きやすくなる為、赤外線検出素子の検出感度を高くすることができる。
【００１６】
［適用例４］上記適用例に記載の赤外線検出素子において、前記第２の吸収部の赤外線吸収スペクトルにおける吸収波長帯の幅が、前記第１の吸収部の赤外線吸収スペクトルにおける吸収波長帯の幅より狭いことが好ましい。尚、ここでの吸収波長帯は、最大吸収波長の吸収率に対して、５０％以上の吸収率を持つ波長帯を示す。
【００１７】
本適用例によれば、第１の吸収部の吸収波長帯は広い為、広範囲の赤外線波長に対して吸収する特性を持っている。このため、第１の吸収部は吸収する赤外線量を多くし、検出部の温度上昇の幅を広げることができる。一方、第２の吸収部の吸収波長帯は狭い為、ある特定波長帯の赤外線が入射された場合に、第１の吸収部が吸収する赤外線量より少ない量の赤外線を吸収する。従って、支持脚から熱の拡散を妨げる程度の熱量を発生させることができる。これにより、支持脚からの熱の逃げる速度を遅らして、検出部の温度上昇の幅を大きくすることができる。
【図面の簡単な説明】
【００１８】
【図１】実施形態１にかかる赤外線検出素子の構造を示す模式上面図。
【図２】赤外線検出素子の構造を示す模式断面図。
【図３】検出部の構成を示す要部模式断面図。
【図４】第１の吸収膜の吸収スペクトルを示すグラフ。
【図５】第２の吸収膜の吸収スペクトルを示すグラフ。
【図６】赤外線検出素子の製造方法を説明するための模式図。
【図７】赤外線検出素子の製造方法を説明するための模式図。
【図８】赤外線検出素子の製造方法を説明するための模式図。
【図９】赤外線検出素子の温度分布を説明するための図。
【図１０】赤外線検出素子が出力する信号を説明するための図。
【図１１】変形例１にかかる赤外線検出素子の構造を示す模式上面図。
【発明を実施するための形態】
【００１９】
以下、本発明の実施形態について、図面を参照して説明する。尚、以下の各図においては、各層や各部材を認識可能な程度の大きさにするため、各層や各部材の尺度を実際とは異ならせしめている。
【００２０】
（実施形態１）
図１は、実施形態１にかかる赤外線検出素子の構造を示す模式上面図である。図２は、赤外線検出素子の構造を示す模式断面図であり、図１中のＹＹ’線に沿う模式断面図である。図３は、検出部の構成を示す要部模式断面図である。本実施形態では、図１に示す赤外線検出素子２０が、マトリックス状に複数配置され、アレイセンサーを成している。このアレイセンサーは、真空パッケージされ、赤外線入射面には、５μｍ〜１４μｍの赤外線を選択的に通す光学フィルターが搭載されている。ここでは、アレイセンサーを構成する赤外線検出素子の単素子の概略構成について説明する。
【００２１】
図１及び図２に示すように、赤外線検出素子２０は、四角い板状の支持基板１を備えている。支持基板１は一対の支持脚５に支持されている。支持基板１上には検出部４が設置され、検出部４を覆って第１の吸収部としての第１の吸収膜２が設置されている。支持脚５上には第２の吸収部としての第２の吸収膜３が設置されている。第１の吸収膜２及び第２の吸収膜３は赤外線を吸収する膜である。検出部４は第１の吸収膜２と接続され温度変化を検出する機能を備えている。
【００２２】
第２の吸収膜３の面積は第１の吸収膜２の面積より小さく設定されている。第２の吸収膜３が吸収する熱量は第１の吸収膜２が吸収する熱量に比べて小さくなる。このため、第２の吸収膜３に発生する熱が、支持脚５と支持基板１とを通って検出部４を暖めることにより検出部４の温度が上昇する量は小さくなる。従って、第２の吸収膜３の熱が検出部４が検出する温度へ影響することを防ぐことができる。
【００２３】
支持基板１と支持脚５は、シリコン酸化膜とシリコン窒化膜の積層によって構成されている。図３に示すように、検出部４はＰＺＴ等の焦電体１５をプラチナからなる上部電極１４と下部電極１６で挟んだ焦電キャパシターの構造となっている。
【００２４】
図１及び図２に戻って、支持基板１及び支持脚５上には一対の電気配線７が配置されている。そして、検出部４の上部電極１４と下部電極１６はそれぞれ別の電気配線７で接続されている。この電気配線７は、支持脚５上を通って図示しない検出回路に電気的に接続されている。そして、検出部４にて生じた電気信号が検出回路へ出力される。支持脚５上の電気配線７からは、検出素子の外側へ熱が逃げ難いようにすることが好ましい。このため、電気配線７の材料は、電気を通しやすく、比較的熱伝導性が低い材料であれば良く、本実施形態では例えば、ＴｉとＴｉＮとを用いている。そして、電気配線７はＴｉとＴｉＮとの積層構造の配線を採用している。
【００２５】
図２に示すように、赤外線検出素子２０は基板１０を備え、基板１０上には層間膜８が設置されている。層間膜８上には積層膜１７が設置され、積層膜１７は支持脚５と接続している。層間膜８は支持基板１と対向する場所に凹部８ａが配置され、凹部８ａにより熱分離空洞６が形成されている。そして、支持基板１は熱分離空洞６上に位置し、支持基板１は支持脚５により中空に支持されている。検出部４の下に熱分離空洞６を設けることで、検出部４は周囲から熱的に分断されている。熱分離空洞６を形成する処理の際に、層間膜８を守るストッパー膜９が配置されている。このストッパー膜９には、ＨＦベーパー処理でのエッチングに対して耐性のあるアルミナ膜を使用している。
【００２６】
支持基板１及び検出部４上の第１の吸収膜２はシリコン酸化膜とシリコン窒化膜との積層膜からなる。支持脚５は一部が直角に曲がった屈曲部５ａを有している。支持脚５上に配置されている第２の吸収膜３は、シリコン酸化膜からなる。第２の吸収膜３は屈曲部５ａ上に配置することで、支持脚５の剛性を高め、応力集中の生じやすい屈曲部５ａの変形を軽減する効果がある。ただし、必ずしも、第２の吸収膜３は屈曲部５ａ上にある必要はなく、支持脚５の直線上に配置されていてもよい。
【００２７】
図４は、第１の吸収膜の吸収スペクトルを示すグラフである。図４に示すように、第１の吸収膜２はシリコン酸化膜とシリコン窒化膜との積層構造とすることにより、８μｍ〜１４μｍの赤外線に対して広い幅の吸収波長帯を持っている。図５は、第２の吸収膜の吸収スペクトルを示すグラフである。図５に示すように、第２の吸収膜３はシリコン酸化膜とすることにより、１０μｍ付近に鋭い吸収ピークを有している。
【００２８】
そして、第２の吸収膜３の吸収波長帯の幅は第１の吸収膜２の吸収波長帯の幅より狭くなっている。このため、第１の吸収膜２は吸収する赤外線量を多くし、検出部４の温度上昇に関与する波長帯の幅を広げることができる。一方、第２の吸収膜３の吸収波長帯は狭い為、ある特定波長帯の赤外線が入射された場合に、第１の吸収膜２が吸収する赤外線量より少ない量の赤外線を吸収する。従って、支持脚５からの熱の拡散を妨げる程度の熱量を発生させることができる。これにより支持脚５からの熱の逃げる速度を遅らして、検出部４の温度上昇の幅を大きくすることができる。
【００２９】
赤外線検出素子２０において、第２の吸収膜３と支持脚５との熱容量の和が、支持基板１と第１の吸収膜２と検出部４との熱容量の和より小さく設定されている。第２の吸収膜３と支持脚５の熱容量の和を小さくすることで、第２の吸収膜３から伝わる少ない熱量でも、第２の吸収膜３と支持脚５との温度上昇の幅を大きくすることができる。これにより、第１の吸収膜２と検出部４とから伝動する熱が支持脚５を通って外部へ逃げる速度を遅らすことができる。従って、検出部４の温度上昇が起きやすくなる為、赤外線検出素子２０の検出感度を高くすることができる。
【００３０】
次に、赤外線検出素子２０の製造方法について説明する。図６〜図８は、赤外線検出素子の製造方法を説明するための模式図である。図６は、支持基板１と支持脚５を形成する前の段階を示したものである。図６に示すように、基板１０上には層間膜８が形成されている。そして、層間膜８中の熱分離空洞６を形成する予定の部分に凹部８ａを形成し、層間膜８上にストッパー膜９を形成する。そして、凹部８ａ上にシリコン酸化膜からなる犠牲層１１を形成する。犠牲層１１はＣＶＤ（Ｃｈｅｍｉｃａｌ−Ｖａｐｏｒ−Ｄｅｐｏｓｉｔｉｏｎ）等で成膜し、ＣＭＰ（Ｃｈｅｍｉｃａｌ−Ｍｅｃｈａｍｉｃａｌ−Ｐｏｌｉｓｈｉｎｇ）等の技術で平坦化する。
【００３１】
次に、層間膜８及び犠牲層１１上に積層膜１７を成膜する。積層膜１７は支持基板１、支持脚５が形成される膜である。積層膜１７上に検出部４を形成し、検出部４上にシリコン酸化膜からなる層間絶縁膜１２を成膜する。次に、検出部４の下部電極１６及び上部電極１４と電気的な接続をとるために層間絶縁膜１２に穴を開口する。その後、電気配線７を形成する。これにより電気配線７は、穴を通して下部電極１６及び上部電極１４と接続される。次に、電気配線７及び積層膜１７等の素子全体を覆ってシリコン酸化膜からなる保護膜１３を成膜した後で、検出部４上と電気配線７上以外については除去する。これらの形成には、フォトリソグラフィーの技術を用いて形成することができる。
【００３２】
次に、図７に示すように、検出部４上に第１の吸収膜２を構成するシリコン酸化膜とシリコン窒化膜との積層膜を成膜し、当該積層膜のパターニングの加工をする。これにより第１の吸収膜２が形成される。その後、電気配線７上に第２の吸収部を構成するシリコン酸化膜を成膜し、当該シリコン酸化膜のパターニングの加工をする。この時、第１の吸収膜２と第２の吸収膜３とにおける膜の構成が違うために、赤外線吸収率に差が生じる。
【００３３】
次に、図８に示すように、犠牲層１１上の積層膜１７のパターニングの加工をして、支持脚５と支持基板１を形成する。次に、素子全体を覆い、熱分離空洞６を形成する処理の際のストッパー膜９となるアルミナ膜を成膜する。そして、ストッパー膜９のパターニングの加工をして、犠牲層１１上のストッパー膜９を除去する。最後にＨＦベーパー処理により、犠牲層１１のみを選択エッチングすることで、熱分離空洞６を作成する。
【００３４】
次に、上記した本実施形態の赤外線検出素子の動作について説明する。図９は、赤外線検出素子の温度分布を説明するための図である。図１０は、赤外線検出素子が出力する信号を説明するための図である。
【００３５】
赤外線検出素子２０に、８μｍ〜１４μｍの範囲において第２の吸収膜３の吸収ピーク（１０μｍ）とは異なる波長帯の赤外線が照射されたときにおいては、広い吸収波長帯を有する第１の吸収膜２では、ある程度の赤外線が吸収される。一方で、第２の吸収膜３においては吸収波長帯から外れるため、赤外線の吸収は少なく、支持脚５の温度上昇はわずかに留まる。この場合、支持脚５から検出素子外への熱の拡散へ与える影響は少ないため、第２の吸収膜がない場合と同じく、第１の吸収膜で吸収された熱は、ある程度まで検出部４を暖める。
【００３６】
この時の素子内の温度分布を図９の第１温度分布線２１に示す。検出部４の載っている支持基板１の場所の温度がもっとも高く、支持脚５から外側にいくほど、温度は低下する。焦電効果による検出部４の信号出力を図１０の第１出力推移線２２に示す。赤外線検出素子２０に赤外線が照射されると信号出力が電気配線７から出力される。尚、焦電効果による信号出力は、焦電体の温度変化がある場合にのみ観測されるため、赤外線を照射し続けると、赤外線検出素子２０への熱の伝導と放熱により赤外線検出素子２０内部で熱の平衡状態になり、それ以降は信号が観測されなくなる。
【００３７】
赤外線検出素子２０に第２の吸収膜３の吸収ピーク（１０μｍ）前後の波長帯の赤外線が照射されたときにおいては、広い吸収波長帯を持つ第１の吸収膜２においては、上記と同様の吸収が起こる。一方、この波長帯に吸収ピークを持つ第２の吸収膜３でも、熱の吸収が起こる。この時の素子内の温度分布を図９の第２温度分布線２３に示す。
【００３８】
第１温度分布線２１に比べて、第２温度分布線２３が示すように支持脚５の温度が上昇する。これにより検出部４を含む支持基板１と支持脚５の温度差が小さくなり、フーリエの法則により本検出素子から支持脚５への熱の拡散が抑えられ、一時的に検出部４の温度上昇幅が大きくなる。このときの検出部４の信号出力を図１０の第２出力推移線２４に示す。第１出力推移線２２に比べて第２出力推移線２４の方がセンサー出力が増大する。また支持脚５の熱容量が増加した分だけ、熱時定数は大きくなる。
【００３９】
ある特定波長の赤外線が照射されたときに、支持脚５から熱が逃げる速度を遅らせるため、赤外線吸収波長帯域に渡って感度を有しながらも、設計した波長に対して、特に高い感度を得ることができる。
【００４０】
上述したように、本実施形態によれば、以下の効果を有する。
（１）本実施形態によれば、赤外線検出素子２０に照射された赤外線は、第１の吸収膜２と第２の吸収膜３によって熱に変換される。支持基板１に伝わった熱は、支持脚５を通して赤外線検出素子２０の外に逃げようとする。しかし、支持脚５では温度上昇が起こっており、フーリエの法則により熱が逃げる速度が遅れる。これにより、検出部４においては、赤外線の照射量に対して温度上昇の幅が大きくなり、検出感度が高くなる。その結果、支持脚５から熱が逃げることによる赤外線感度の低下を改善することができる。
【００４１】
（２）本実施形態によれば、第２の吸収膜３の面積は第１の吸収膜２の面積より小さくなっている。従って、第２の吸収膜３の熱自体が検出部４が検出する温度変化へ影響することを防ぐことができる。
【００４２】
（３）本実施形態によれば、第２の吸収膜３と支持脚５との熱容量の和が、支持基板１と第１の吸収膜２と検出部４との熱容量の和より小さくなっている。これにより、第２の吸収膜３から伝わる少ない熱量でも、第２の吸収膜３と支持脚５との温度上昇の幅を大きくすることができる。これにより、第１の吸収膜２と検出部４とから伝動する熱が支持脚５を通って外部へ逃げる速度を遅らせることができる。従って、検出部４の温度上昇が起きやすくなる為、赤外線検出素子２０の検出感度を高くすることができる。
【００４３】
（４）本実施形態によれば、第２の吸収膜３の赤外線吸収スペクトルにおける吸収波長帯の幅が、第１の吸収膜２の赤外線吸収スペクトルにおける吸収波長帯の幅より狭くなっている。従って、第２の吸収膜３は支持脚５からの熱の拡散を妨げる程度の熱量を発生させることができる。これにより支持脚５からの熱の逃げる速度を遅らせて、検出部４の温度上昇の幅を大きくすることができる。
【００４４】
尚、本発明は上述した実施形態に限定されず、上述した実施形態に種々の変更や改良等を加えることが可能である。変形例を以下に述べる。
【００４５】
（変形例１）
図１１は、変形例１にかかる赤外線検出素子の構造を示す模式上面図である。上記実施形態１では、支持基板１から対角に２本の支持脚５が設置されているが、この構成に限定するものではない。以下、変形例１について、説明する。
【００４６】
変形例１においては、赤外線検出素子２７は支持基板１を有し、支持基板１は１本の支持脚２８により、支持されている。ここでは支持脚２８の長さは、実施形態１と同等とする。支持脚２８の幅は、実施形態１で示した、支持脚５より太くても良いが、２倍よりは小さいとする。検出部４の上部電極１４及び下部電極１６に接続されている２本の配線は、同一の支持脚２８上を通る。第２の吸収膜３は、この支持脚２８上に配置されており、その面積は、実施形態１で示した、第２の吸収部の面積と同等とする。
【００４７】
本変形例１の赤外線検出素子２７によれば、実施形態１での効果に加えて、支持脚２８の数が減ったことで、熱コンダクタンスの総和は実施形態１の時に比べて低減される。このため検出部４の温度上昇幅が大きくなり、信号の出力を大きくすることができる。その結果、赤外線検出素子２７の感度を高くすることができる。
【００４８】
（変形例２）
本実施形態においては、第２の吸収膜３が支持脚５上に設置された。第２の吸収膜３は支持脚５に加えて、支持基板１に設置しても良い。また素子の熱分布に合わせて設計しても良い。さらに、層間膜８上の積層膜１７上に第２の吸収膜３を設置しても良い。第２の吸収膜３を適切な位置に配置することで支持基板１の熱が逃げる速度をさらに遅くすることができる。
【符号の説明】
【００４９】
１…支持基板、２…第１の吸収部としての第１の吸収膜、３…第２の吸収部としての第２の吸収膜、４…検出部、５…支持脚、２０，２７…赤外線検出素子。
【図１】
0005861264.tif 000002
【図２】
0005861264.tif 000003
【図３】
0005861264.tif 000004
【図４】
0005861264.tif 000005
【図５】
0005861264.tif 000006
【図６】
0005861264.tif 000007
【図７】
0005861264.tif 000008
【図８】
0005861264.tif 000009
【図９】
0005861264.tif 000010
【図１０】
0005861264.tif 000011
【図１１】
0005861264.tif 000012